(57)【要約】【課題】幅方向の中央部付近で吊り下げる場合でも十分な密封性能を確保することができるパウチ容器を提供する。【解決手段】表面シート１１及び裏面シート１２を、その内面同士が接触するように重ね合わせた状態で、双方の周縁部同士を相互にヒートシールすることによって平袋状に形成された、流動食等が充填されるパウチ本体１０と、このパウチ本体１０に充填された流動食等を注出するためにパウチ本体１０の下縁に装着された注出口部材２０とを備えており、パウチ本体１０は、その上部に、表面シート１１が部分的に重ね合わされた状態で立ち上がった袋状の分岐部１１Ａを有している。パウチ本体１０における分岐部１１Ａの基端部よりも下方側には、一対のファスナー部材１３が装着されていると共にファスナー部材１３の下側に隔壁部１４が形成されており、分岐部１１Ａを、その基端部近傍で破断することによって湯水の注入口部を形成するようになっている。【選択図】        図１
2009040479.tif 000002
【特許請求の範囲】
【請求項１】
流動食や経腸栄養剤が充填されるパウチ本体と、
このパウチ本体を形成している表裏一対の柔軟性シートにおける相互にヒートシールされている下縁に装着された注出口部材と
を備えたパウチ容器であって、
前記パウチ本体には、相互にヒートシールされた表裏一対の前記柔軟性シートの上縁部分に、吊下穴が形成されており、
前記パウチ本体は、その上部に、いずれか一方の前記柔軟性シートが部分的に重ね合わされた状態で立ち上がった、その上縁及び両側縁が閉塞された袋状の分岐部を有しており、
前記パウチ本体における前記分岐部の基端部よりも下方側には、表裏一対の柔軟性シートの内面に、相互に噛合する一対のファスナー部材が装着されており、
前記分岐部を、その基端部近傍で破断することによって開封するようになっていることを特徴とするパウチ容器。
【発明の詳細な説明】
【技術分野】
【０００１】
この発明は、例えば、流動食や経腸栄養剤等（以下、流動食等という。）を充填する容器のように、注出口部材を有する、吊り下げた状態で使用するパウチ容器に関する。
【背景技術】
【０００２】
例えば、流動食等を充填するパウチ容器としては、図１２に示すようなものがある。このパウチ容器５０は、同図に示すように、合成樹脂シートを２枚重ねて両側縁部及び下縁部をヒートシールすることによって袋状に形成されたパウチ本体５１と、このパウチ本体５１の下縁に装着された注出口部材５５とから構成されており、パウチ本体５１は、未シールの上縁部分に形成された吊下穴５２と、この吊下穴５２の下側でパウチ本体５１の上端開口部を開閉する、相互に噛合する一対の帯状のファスナー部材５３と、このファスナ部材５３の下側でパウチ本体５１を上下に区画する、容易に開通可能な隔壁部５４とを備えている。
【０００３】
以上のように構成されたパウチ容器５０は、パウチ本体５１における隔壁部５４によって区画された、流動食等が充填された室を外側から押圧することにより、隔壁部５４を開通させた後、吊下穴５２に引っかけて吊り下げた状態で、一対のファスナー部材５３の噛合を解除して、パウチ本体５１の上端開口部から湯水を注入し、一対のファスナー部材５３を噛合させることによって上端開口部を閉鎖する。そして、注出口部材５５の先端部５５ａを折り取って注出口部材５５に注出口を形成した後、この注出口部材５５にチューブを接続し、パウチ本体５１を吊り下げた状態で、流動食等をチューブを通して、人に投与するようになっている。
【０００４】
【特許文献１】特開２００５−１５４０１７号公報
【発明の開示】
【発明が解決しようとする課題】
【０００５】
ところで、上述したパウチ容器５０は、パウチ本体５１の幅方向の中央部に形成された吊下穴５２に引っかけて吊り下げた状態で使用することから、パウチ本体を形成している合成樹脂シートの周縁部分を全周にわたって強固にヒートシールすることによってパウチ本体を密閉し、ヒートシールされた上縁部分の下側でパウチ本体を破断することによって開封するといった一般的な手法を採用することができず、外側から押圧することによって容易に開通する隔壁部５４でパウチ本体５１内を区画することで対処している。
【０００６】
従って、こういったパウチ容器５０を輸送したり、保管したりする際、パウチ本体５１における隔壁部５４によって区画された室を外側から誤って押圧すると、隔壁部５４が開通してしまい、ファスナー部材５３だけでは完全な密封状態を確保することができないので、内容物である流動食等が変質したり、漏れだしたりするといった問題がある。
【０００７】
そこで、この発明の課題は、幅方向の中央部付近で吊り下げる場合でも十分な密封性能を確保することができるパウチ容器を提供することにある。
【課題を解決するための手段】
【０００８】
上記の課題を解決するため、請求項１に係る発明は、流動食や経腸栄養剤が充填されるパウチ本体と、このパウチ本体を形成している表裏一対の柔軟性シートにおける相互にヒートシールされている下縁に装着された、口部が開閉可能な注出口部材とを備えたパウチ容器であって、前記パウチ本体には、相互にヒートシールされた表裏一対の前記柔軟性シートの上縁部分に、吊下穴が形成されており、前記パウチ本体は、その上部に、いずれか一方の前記柔軟性シートが部分的に重ね合わされた状態で立ち上がった、その上縁及び両側縁が閉塞された袋状の分岐部を有しており、前記パウチ本体における前記分岐部の基端部よりも下方側には、表裏一対の柔軟性シートの内面に、相互に噛合する一対のファスナー部材が装着されており、前記分岐部を、その基端部近傍で破断することによって開封するようになっていることを特徴とするパウチ容器を提供するものである。
【発明の効果】
【０００９】
以上のように、請求項１に係る発明のパウチ容器は、パウチ本体の上部に形成された分岐部を、その基端部近傍で破断することによって開封するようになっているので、表裏一対の柔軟性シートの周縁部分を強固にヒートシールすることによってパウチ本体内を密封することができると共に、開封することによって、吊下穴が形成されたパウチの上縁部分が切除されることがないので、幅方向の中央部付近で吊り下げることができる。
【００１０】
従って、幅方向の中央部付近で吊り下げるために、吊下穴が形成された上縁をヒートシールせずに、外側から押圧することで容易に開通する隔壁部によってパウチ本体を区画した従来のパウチ容器のように、輸送・保管時に、内容物である流動食等が変質したり、漏れだしたりするおそれがない。
【発明を実施するための最良の形態】
【００１１】
以下、実施の形態について図面を参照して説明する。図１は、流動食等が充填されるパウチ容器１を示している。このパウチ容器１は、同図に示すように、流動食等が充填されるパウチ本体１０と、このパウチ本体１０に充填された流動食等を注出するためにパウチ本体１０に装着された注出口部材２０とを備えている。
【００１２】
前記パウチ本体１０は、二軸延伸ポリエステルフィルムや二軸延伸ポリアミドフィルム等からなる基材層に、低密度ポリエチレン、高密度ポリエチレン、線状低密度ポリエチレン、ポリプロピレンやメタロセン系ポリエチレン等からなるシーラント層がラミネートされた柔軟性シート（必要に応じて、基材層にアルミニウム箔、酸化ケイ素等の無機物を蒸着したガスバリア層を積層してもよい。）によって形成された表面シート１１及び裏面シート１２を、その内面同士が接触するように重ね合わせた状態で、双方の周縁部同士を相互にヒートシールすることによって平袋状に形成されており、相互にヒートシールされている表面シート１１及び裏面シート１２における下縁に注出口部材２０が装着されている。なお、同図における網掛け表示部分が、パウチ本体１０のヒートシール部分を示している。
【００１３】
前記パウチ本体１０の正面側を形成している表面シート１１は、下部を上方側に折り返した上側表面シート１１ａと、上部が上側表面シート１１ａの折り返し部に重ね合わされる下側表面シート１１ｂとに分割されており、両者の重ね合わせ部分における上縁及び両側縁が相互にヒートシールされることによって分岐部１１Ａが形成されている。
【００１４】
この分岐部１１Ａの上縁は、パウチ本体１０の上縁よりも下側に位置しており、上側表面シート１１ａと裏面シート１２とが相互にヒートシールされたパウチ本体１０の上縁には、分岐部１１Ａの上縁よりも上側に吊下穴１０ａが形成されている。
【００１５】
また、分岐部１１Ａの基端部には、そのヒートシールされた両側縁に切込１０ｂが形成されており、この切込１０ｂをきっかけに分岐部１１Ａを破断することで、湯水を注入するための注入口部Ｍが形成されるようになっている。
【００１６】
また、パウチ本体１０における分岐部１１Ａの下側には、下側表面シート１１ｂ及び裏面シート１２の内面に、表面シート１１（下側表面シート１１ｂ）及び裏面シート１２のシーラント層に対して熱接着性を有するプラスチック材料によって形成された、相互に噛合する一対の帯状のファスナー部材１３が熱溶着されており、分岐部１１Ａを破断することによって形成された注入口部Ｍを開閉することができるようになっている。
【００１７】
また、パウチ本体１０におけるファスナー部材１３の下側には、流動食等が充填される空間を上下に区画する帯状の隔壁部１４が形成されており、パウチ本体１０内に充填された流動食等がファスナ部材１３に接触しないようになっている。
【００１８】
この隔壁部１４は、上側表面シート１１ａ、下側表面シート１１ｂ及び裏面シート１２の周縁のヒートシール部分よりもシール強度が小さくなっており、流動食等が充填されている隔壁部１４の下側を押えて内圧を高くすると、シール強度の小さい隔壁部１４にシール破壊が発生して、シールされている表面シート１１（下側表面シート１１ｂ）、裏面シート１２同士が離反し、パウチ本体１０の上部と下部とが連通するようになっている。
【００１９】
前記注出口部材２０は、注出口を有する本体部２１と、この本体部２１の注出口を開閉するスクリューキャップ２２とから構成されており、スクリューキャップ２２を外して、本体部２１にアダプタをねじ込み、このアダプタにチューブを接続することができるようになっている。
【００２０】
以上のように構成されたパウチ容器１に充填された流動食等を人に投与する際は、まず、図３に示すように、流動食等が充填されている隔壁部１４の下側を押えて内圧を高くすることによって、隔壁部１４にシール破壊を発生させてパウチ本体１０の上部と下部とを連通させる。続いて、図４に示すように、吊下穴１０ａをフックＦＣ等に引っかけてパウチ容器１を吊り下げた状態で、分岐部１１Ａを破断することによって、湯水を注入するための注入口部Ｍを形成し、図５に示すように、一対のファスナ部材１３の噛合を解除することで、注入口部Ｍを開いて湯水を注入した後、一対のファスナ部材１３を再度噛合させることによって注入口部Ｍを閉じる。最後に、図６に示すように、注出口部材２０のスクリューキャップ２２を外して、注出口が形成された本体部２１にアダプタ３１をねじ込み、このアダプタ３１に流動食を人の口に導くためのチューブ３２を装着する。
【００２１】
以上のように、このパウチ容器１は、パウチ本体１０の上部に形成された分岐部１１Ａを、その基端部近傍で破断することによって開封するようになっているので、表面シート１１（上側表面シート１１ａ、下側表面シート１１ｂ）及び裏面シート１２の周縁部分を強固にヒートシールすることによってパウチ本体１０内を密封することができると共に、開封することによって、吊下穴１０ａが形成されたパウチ本体１０の上縁部分が切除されることがないので、幅方向の中央部付近で吊り下げることができる。
【００２２】
従って、幅方向の中央部付近で吊り下げるために、吊下穴５２が形成された上縁をヒートシールせずに、外側から押圧することで容易に開通する隔壁部５４によってパウチ本体５１を区画した従来のパウチ容器５０のように、輸送・保管時に、内容物である流動食等が変質したり、漏れだしたりするおそれがない。
【００２３】
なお、上述した実施形態では、パウチ本体１０の全幅にわたってファスナー部材１３を取り付けているが、これに限定されるものではなく、例えば、図７に示すパウチ容器２のように、パウチ本体１０の幅よりも短いファスナー部材１３をパウチ本体１０の中央部に設け、パウチ本体１０におけるファスナー部材１３の外側のシール幅を大きくしてもよい。このように、ファスナー部材１３を短くして、注入口部となる部分を幅狭に形成しておくと、ファスナー部材１３を閉じやすくなるという効果が得られる。ファスナー部材１３の閉じ易さを考慮すると、注入口部の幅は、９０〜１２０ｍｍ程度に設定しておくことが望ましい。
【００２４】
また、ファスナー部材１３を短くして、注入口部となる部分を幅狭に形成する場合は、図８に示すパウチ容器３のように、パウチ本体１０におけるファスナー部材１３の下側の側縁を内側に窪ませて、局部的に幅狭に形成したり、図９〜図１１に示すパウチ容器４〜６のように、パウチ本体１０の上部を幅狭に形成してもよい。
【００２５】
また、上述した実施形態では、パウチ本体１０における分岐部１１Ａの下側近傍にファスナー部材１３を装着しているが、ファスナー部材１３の装着位置は、分岐部１１Ａの下側であれば、特に限定されない。
【００２６】
また、上述した実施形態では、分岐部１１Ａの上縁が、パウチ本体１０の上縁よりも下側に位置しているパウチ容器について説明したが、これに限定されるものではなく、本発明のパウチ容器は、分岐部の上縁とパウチ本体の上縁とが一致していてもよい。
【００２７】
また、上述した実施形態では、本体部２１の注出口をスクリューキャップ２２よって開閉するタイプの注出口部材２０を採用しているが、これに限定されるものではなく、先端を折り取ったり、捻り取ったりすることによって、注出口を形成するタイプの注出口部材を使用することも可能である。
【００２８】
また、上述した実施形態では、パウチ本体１０が平袋タイプのパウチ容器について説明したが、これに限定されるものではなく、本発明は、パウチ本体の両側部または一方の側部にガセット部が形成されたパウチ容器についても適用することができる。
【００２９】
また、上述した実施形態では、パウチ本体１０における流動食等の充填部とファスナ部材１３の装着部とを、隔壁部１４によって区画するようにしているが、これに限定されるものではなく、隔壁部１４は必ずしも設ける必要はない。
【図面の簡単な説明】
【００３０】
【図１】この発明にかかるパウチ容器の一実施形態を示す斜視図である。
【図２】（ａ）は同上のパウチ容器を示す正面図、（ｂ）は同上のパウチ容器を示す背面図である。
【図３】同上のパウチ容器に充填された流動食等を人に投与する手順を説明するための斜視図である。
【図４】同上のパウチ容器に充填された流動食等を人に投与する手順を説明するための斜視図である。
【図５】同上のパウチ容器に充填された流動食等を人に投与する手順を説明するための斜視図である。
【図６】同上のパウチ容器に充填された流動食等を人に投与する手順を説明するための斜視図である。
【図７】他の実施形態であるパウチ容器を示す正面図である。
【図８】他の実施形態であるパウチ容器を示す正面図である。
【図９】他の実施形態であるパウチ容器を示す正面図である。
【図１０】他の実施形態であるパウチ容器を示す正面図である。
【図１１】他の実施形態であるパウチ容器を示す正面図である。
【図１２】従来のパウチ容器を示す正面図である。
【符号の説明】
【００３１】
１、２、３、４、５、６  パウチ容器
１０  パウチ本体
１０ａ  吊下穴
１０ｂ  切込
１１  表面シート
１１Ａ  分岐部
１１ａ  上側表面シート
１１ｂ  下側表面シート
１２  裏面シート
１３  ファスナー部材
１４  隔壁部
２０  注出口部材
２１  本体部
２２  スクリューキャップ
３１  アダプタ
３２  チューブ
Ｍ  注入口部
【図１】
2009040479.tif 000003
【図２】
2009040479.tif 000004
【図３】
2009040479.tif 000005
【図４】
2009040479.tif 000006
【図５】
2009040479.tif 000007
【図６】
2009040479.tif 000008
【図７】
2009040479.tif 000009
【図８】
2009040479.tif 000010
【図９】
2009040479.tif 000011
【図１０】
2009040479.tif 000012
【図１１】
2009040479.tif 000013
【図１２】
2009040479.tif 000014